(57)【要約】【課題】移動時間を考慮した、施設を利用できる時間を利用者に知らせることを目的とする。【解決手段】コンピュータによる情報提供方法であって、該コンピュータが、施設に関する施設情報が記憶された記憶部を参照し、出発地と前記出発地に基づき抽出された施設情報とから算出された、前記施設情報が示す施設への到着予定時刻からの、前記施設の利用が可能な時間の長さを示す付帯情報を端末装置に表示させる。【選択図】図１２
2019079343.tif 000002
【特許請求の範囲】
【請求項１】
コンピュータによる情報提供方法であって、該コンピュータが、
施設に関する施設情報が記憶された記憶部を参照し、
出発地と前記出発地に基づき抽出された施設情報とから算出された、前記施設情報が示す施設への到着予定時刻からの、前記施設の利用が可能な時間の長さを示す付帯情報を端末装置に表示させる、情報提供方法。
【請求項２】
前記付帯情報は、
前記施設の利用が可能な時間の長さに応じて、異なる表示態様で表示される、請求項１記載の情報提供方法。
【請求項３】
前記付帯情報は、
前記出発地から前記施設までの移動にかかる移動時間の長さを示す情報を含む、請求項１又は２記載の情報提供方法。
【請求項４】
前記付帯情報は、
前記施設の利用が可能な時間の長さと対応した大きさの画像と、前記移動時間の長さと対応した大きさの画像とを含む画像として表示される、請求項３記載の情報提供方法。
【請求項５】
前記抽出された施設情報が示す施設が、前記到着予定時刻において利用が可能であるか否かを判定し、
利用が可能であった場合、前記施設が利用可能であることを示す画像と、前記付帯情報とを対応付けて表示させる、請求項１乃至４の何れか一項に記載の情報提供方法。
【請求項６】
施設に関する施設情報が記憶された記憶部を参照し、
出発地と前記出発地に基づき抽出された施設情報とから算出された、前記施設情報が示す施設への到着予定時刻からの、前記施設の利用が可能な時間の長さを示す付帯情報を端末装置に表示させる、処理をコンピュータに実行させる情報提供プログラム。
【請求項７】
施設に関する施設情報が記憶された記憶部を参照する参照部と、
出発地と前記出発地に基づき抽出された施設情報とから算出された、前記施設情報が示す施設への到着予定時刻からの、前記施設の利用が可能な時間の長さを示す付帯情報を端末装置に表示させる出力部とを有する電子機器。
【発明の詳細な説明】
【技術分野】
【０００１】
本発明は、情報提供方法、情報提供プログラム及び電子機器に関する。
【背景技術】
【０００２】
近年では、オンラインで提供されるサービスの１つとして、地図上に特定の施設の位置を表示させるサービスや、地図上にある施設に関する情報の参照や編集を行わせるサービス等が知られている。尚、施設に関する情報とは、写真、住所、電話番号、営業時間、混雑する時間帯、施設の利用者による評価等を含む情報である。
【０００３】
さらに、他のサービスとして、指定された住所の周辺の地図上において、飲食店や駐車場、公園等の施設をジャンル別に検索した結果を表示させるサービスが知られている。
【先行技術文献】
【特許文献】
【０００４】
【特許文献１】特開２００９−１５０８４４号公報
【特許文献２】特開２０１２−１７９８３号公報
【特許文献３】特開平１１−３３７３６１号公報
【発明の概要】
【発明が解決しようとする課題】
【０００５】
上述した各サービスでは、例えば、施設を利用できる時間帯を示す情報は、施設毎の詳細データに含まれる。このため、従来では、例えば、地図上に表示された各施設に到着した後の、施設を利用できる時間を調べる場合、利用者は、施設までの到着予定時刻を把握した上で、施設毎に詳細データを参照する必要があり、手順が煩雑である。
【０００６】
一つの側面では、本発明は、移動時間を考慮した、施設を利用できる時間を利用者に知らせることを目的としている。
【課題を解決するための手段】
【０００７】
一様態によれば、コンピュータによる情報提供方法であって、該コンピュータが、施設に関する施設情報が記憶された記憶部を参照し、出発地と前記出発地に基づき抽出された施設情報とから算出された、前記施設情報が示す施設への到着予定時刻からの、前記施設の利用が可能な時間の長さを示す付帯情報を端末装置に表示させる。
【０００８】
上記各手順は、上記各手順により実現する機能部、上記各手順を処理としてコンピュータにより実行させるプログラム、プログラムを記憶したコンピュータ読み取り可能な記憶媒体とすることもできる。
【発明の効果】
【０００９】
移動時間を考慮した、施設を利用できる時間を利用者に知らせることができる。
【図面の簡単な説明】
【００１０】
【図１】情報提供システムのシステム構成の一例を示す図である。
【図２】情報提供装置のハードウェア構成の一例を示す図である。
【図３】施設データベースの一例を示す図である。
【図４】アイコンデータベースの一例を示す図である。
【図５】情報提供システムの有する各装置の機能を説明する図である。
【図６】情報提供システムの動作を説明するシーケンス図である。
【図７】端末装置の処理を説明するフローチャートである。
【図８】情報提供装置の処理を説明する第一のフローチャートである。
【図９】情報提供装置の処理を説明する第二のフローチャートである。
【図１０】検索条件の入力画面の一例を示す図である。
【図１１】出発日時の入力画面の一例を示す図である。
【図１２】情報の取得要求に応じた画面の一例を示す第一の図である。
【図１３】情報の取得要求に応じた画面の一例を示す第二の図である。
【図１４】情報の取得要求に応じた画面の一例を示す第三の図である。
【図１５】情報の取得要求に応じた画面の一例を示す第四の図である。
【図１６】情報の取得要求に応じた画面の一例を示す第五の図である。
【図１７】情報の取得要求に応じた画面の一例を示す第六の図である。
【発明を実施するための形態】
【００１１】
以下に図面を参照して、本実施形態について説明する。図１は、情報提供システムのシステム構成の一例を示す図である。
【００１２】
本実施形態の情報提供システム１００は、端末装置２００と、情報提供装置３００とを有する。端末装置２００と、情報提供装置３００とは、ネットワーク等を介して接続されている。
【００１３】
本実施形態の端末装置２００は、情報表示処理部２１０を有する。情報表示処理部２１０は、情報提供装置３００に対する検索条件の入力を受け付けて、検索条件を満たす情報の取得要求を行う。また、情報表示処理部２１０は、情報提供装置３００から提供された情報の表示を行う。
【００１４】
本実施形態の情報提供装置３００は、施設データベース３１０、アイコンデータベース３２０、情報提供処理部３３０を有する。また、本実施形態の情報提供装置３００は、地図情報を有する地図サーバ４００と通信を行う。
【００１５】
本実施形態の施設データベース３１０は、地図上に表される各施設について、施設の位置を示す情報、施設の利用することが可能な時間帯を示す情報等が格納される。本実施形態のアイコンデータベース３２０は、施設の分類毎のアイコン画像の画像データが格納される。
【００１６】
本実施形態の情報提供処理部３３０は、施設データベース３１０を参照し、端末装置２００から情報の取得要求を受けた地点の周辺の施設を抽出する。そして、情報提供処理部３３０は、端末装置２００の利用者が利用できる施設と対応するアイコン画像を地図上に示した画面を、端末装置２００に表示させる。
【００１７】
このとき、情報提供処理部３３０は、施設毎に、施設のアイコン画像と共に、端末装置２００の利用者が出発地から施設まで移動した場合の移動時間を示す情報と、利用者が施設へ到着した後にこの施設を利用することができる時間の長さを示す情報と、を表示させる。
【００１８】
つまり、本実施形態では、端末装置２００の利用者が、ある地点の周辺の施設の情報の取得要求を行った際に、利用者が各施設に到着した後に利用できる施設と、施設を利用できる時間の長さと、を示す施設の付帯情報を地図上に一覧として表示させることができる。
【００１９】
したがって、本実施形態によれば、情報提供システム１００の利用者に対し、移動時間を考慮した、施設を利用できる時間を知らせることができる。
【００２０】
尚、以下の説明では、施設を利用することができる時間帯を施設の利用可能時間と表現することがある。
【００２１】
また、図１では、情報提供装置３００が施設データベース３１０、アイコンデータベース３２０を有する構成としたが、これに限定されない。施設データベース３１０、アイコンデータベース３２０は、情報提供装置３００とは別の装置に設けられていても良い。また、本実施形態の情報提供装置３００は、地図情報が格納された地図サーバ４００と通信が可能であり、地図データや、ある地点からある地点までの距離や、ある地点からある地点までの移動にかかる時間等を、地図サーバ４００から取得する。
【００２２】
次に、本実施形態の情報提供システム１００の有する各装置について説明する。図２は、情報提供装置のハードウェア構成の一例を示す図である。
【００２３】
本実施形態の情報提供装置３００は、それぞれバスＢで相互に接続されている入力装置３１、出力装置３２、ドライブ装置３３、補助記憶装置３４、メモリ装置３５、演算処理装置３６及びインターフェース装置３７を含む電子機器である。
【００２４】
入力装置３１は、情報の入力を行うための装置であり、出力装置３２は、情報を出力すめるための装置である。インターフェース装置３７は、ＬＡＮカード等を含み、ネットワークに接続する為に用いられる。
【００２５】
情報提供プログラムは、情報提供装置３００を制御する各種プログラムの少なくとも一部である。情報提供プログラムは例えば記憶媒体３８の配布やネットワークからのダウンロードなどによって提供される。情報提供プログラムを記録した記憶媒体３８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００２６】
また、情報提供プログラムは、情報提供プログラムを記録した記憶媒体３８がドライブ装置３３にセットされると、記憶媒体３８からドライブ装置３３を介して補助記憶装置３４にインストールされる。ネットワークからダウンロードされた情報提供プログラムは、インターフェース装置３７を介して補助記憶装置３４にインストールされる。
【００２７】
補助記憶装置３４は、インストールされた情報提供プログラムを格納すると共に、必要なファイル、データ等を格納する。メモリ装置３５は、コンピュータの起動時に補助記憶装置３４から情報提供プログラムを読み出して格納する。そして、演算処理装置３６はメモリ装置３５に格納された情報提供プログラムに従って、後述するような各種処理を実現している。
【００２８】
本実施形態の端末装置２００のハードウェア構成は、情報提供装置３００と同様であるから説明を省略する。尚、本実施形態の端末装置２００がスマートフォンやタブレット端末である場合には、入力装置３１と出力装置３２の代わりに、表示機能と入力機能を有する表示操作装置を有していても良い。
【００２９】
次に、図３及び図４を参照して、本実施形態の情報提供装置３００の有する各データベースについて説明する。
【００３０】
図３は、施設データベースの一例を示す図である。本実施形態の施設データベース３１０は、予め情報提供システム１００の管理者等によって、情報提供装置３００に設けられていても良い。
【００３１】
本実施形態の施設データベース３１０は、情報の項目として、施設ＩＤ、名称、分類、緯度、経度、開始時刻、終了時刻を有する。施設データベース３１０では、項目「施設ＩＤ」とその他の項目とが対応付けられている。以下の説明では、施設データベース３１０において、項目「施設ＩＤ」の値と、その他の項目の値と、を含む情報を施設情報と呼ぶ。
【００３２】
本実施形態において、項目「施設ＩＤ」の値は、施設を特定するための識別情報である。本実施形態の施設とは、例えば、飲食店やショッピングモール、小売店等の店舗、病院等の医療機関、スポーツ施設、図書館、美術館、映画館等を含む物である。本実施形態の施設とは、例えば、利用可能な時間帯と、利用することができない利用不可能な時間帯とが決められた構造物や設備等であれば良い。
【００３３】
項目「名称」の値は、対応する施設の名称を示す。項目「分類」の値は、対応する施設の分類を示す。本実施形態の施設データベース３１０では、施設は、その施設を訪れる目的毎に分類されていても良い。
【００３４】
項目「緯度」、「経度」の値は、対応する施設の緯度と経度を示す。この緯度と経度は、例えば、地図上の施設の敷地内の何れかの点を示す。
【００３５】
項目「開始時刻」の値は、対応する施設の利用が可能となる時刻である利用開始時刻を示す。項目「終了時刻」の値は、対応する施設の利用が不可能となる時刻である利用可能終了時刻を示す。本実施形態の項目「開始時刻」の値と、項目「終了時刻」の値とは、日曜日、月曜日、火曜日、水曜日、木曜日、金曜日、土曜日のそれぞれの開始時刻と終了時刻を列挙した形式で示されるものとした。さらに、本実施形態の項目「開始時刻」の値と、項目「終了時刻」の値とは、「９９」という値は、対応する曜日の利用が不可能であることを示すものとした。
【００３６】
図３では、例えば、施設ＩＤ「００１」で特定される施設は、Ａ美術館であり、分類は「見る」とされている。また、Ａ美術館の敷地は、緯度３５．５８３３、経度１３９．６３９９で示される地点を含む。
【００３７】
また、Ａ美術館の開始時刻は、「９９，１０，１０，１０，１０，１０，１０」であり、終了時刻は、「９９，１８，１８，１８，１８，１８，１８」である。したがって、Ａ美術館は、日曜日が休業日であり、月曜日から金曜日までは、１０時から１８時まで利用可能であることがわかる。
【００３８】
尚、開始時刻と終了時刻は、分単位で設定されていても良い。また、施設データベース３１０では、この他にも祝日、年末年始等の特別休日、特別営業日等を示す情報が付加されていても良い。さらに、施設データベース３１０では、施設に関する説明や電話番号、ＵＲＬ（Uniform Resource Locator）等の情報を施設毎に付加しても良い。
【００３９】
図４は、アイコンデータベースの一例を示す図である。本実施形態のアイコンデータベース３２０は、予め情報提供システム１００の管理者等によって、情報提供装置３００に設けられていても良い。
【００４０】
本実施形態のアイコンデータベース３２０は、情報の項目として、分類と、利用可能画像と、利用不可画像とを有する。アイコンデータベース３２０では、項目「分類」とその他の項目とが対応付けられている。
【００４１】
項目「分類」の値は、施設に割り当てられる分類を示し、施設データベース３１０の項目「分類」の値に相当する。項目「利用可能画像」の値は、対応する分類に割り当てられた施設が利用可能である場合に、地図上に表示させるアイコン画像の画像データである。
【００４２】
項目「利用不可画像」の値は、対応する分類に割り当てられた施設が利用不可能である場合に、地図上に表示させるアイコン画像の画像データである。
【００４３】
図４では、例えば、「見る」に分類された施設が利用可能である場合、地図上のこの施設の緯度・経度が示す位置に、画像データ「××．ｊｐｇ」が示すアイコン画像が表示される。また、「見る」に分類された施設が利用不可能である場合、地図上のこの施設の緯度・経度が示す位置に、画像データ「×○．ｊｐｇ」が示すアイコン画像が表示される。
【００４４】
尚、本実施形態では、図４に示すように、施設が利用可能である場合と利用不可能である場合のそれぞれについて、アイコン画像の画像データを保持するもとしたが、これに限定されない。本実施形態では、例えば、分類と対応するアイコン画像の画像データを保持しておき、施設が利用可能である場合にのみ、地図上にアイコン画像を表示させても良い。また、本実施形態では、分類と対応するアイコン画像の画像データを保持しておき、施設が利用可能である場合には、保持しているアイコン画像の画像データを表示させ、施設が利用不可能であるは場合には、保持しているアイコン画像の画像データの色を変更して表示させても良い。
【００４５】
次に、図５を参照して、本実施形態の情報提供システム１００の有する各装置の機能について説明する。図５は、情報提供システムの有する各装置の機能を説明する図である。
【００４６】
はじめに、端末装置２００の機能について説明する。端末装置２００は、情報表示処理部２１０を有する。情報表示処理部２１０は、端末装置２００の記憶装置に格納された情報表示プログラムを、端末装置２００の演算処理装置が読み出して実行することで実現される。
【００４７】
本実施形態の情報表示処理部２１０は、入力受付部２１１、表示制御部２１２、パラメータ生成部２１３、通信部２１４を有する。
【００４８】
入力受付部２１１は、端末装置２００に対する各種の入力を受け付ける。具体的には、入力受付部２１１は、端末装置２００の利用者からの、施設の検索条件や、検索条件を満たす情報の取得要求等の入力を受け付ける。
【００４９】
表示制御部２１２は、端末装置２００の有する表示操作装置における表示を制御する。より具体的には、表示制御部２１２は、施設の検索条件の入力画面や、検索結果を示す画面等を表示操作装置に表示させる。
【００５０】
パラメータ生成部２１３は、入力画面において入力された検索条件に応じて、情報の取得要求となるパラメータを生成する。本実施形態の入力画面では、例えば、分類、移動手段、出発地、出発日時、検索範囲等が入力される。入力画面の詳細は後述する。
【００５１】
通信部２１４は、端末装置２００と情報提供装置３００を含む他の装置との通信を行わせる。具体的には、通信部２１４は、パラメータ生成部２１３が生成したパラメータを情報の取得要求として情報提供装置３００へ送信する。また、通信部２１４は、情報提供装置３００から送信される情報を受信する。
【００５２】
次に、情報提供装置３００の機能について説明する。情報提供装置３００は、情報提供処理部３３０を有する。情報提供処理部３３０は、情報提供装置３００の演算処理装置３６が、メモリ装置３５や補助記憶装置３４等に格納された情報提供プログラムを読み出して実行することで実現される。
【００５３】
本実施形態の情報提供処理部３３０は、要求受付部３３１、施設情報抽出部３３２、起点決定部３３３、範囲決定部３３４、移動情報要求部３３５、提供可否判定部３３６、利用可否判定部３３７、利用可能時間取得部３３８、画面データ生成部３３９、出力部３４０を有する。
【００５４】
要求受付部３３１は、端末装置２００からの情報の取得要求を受け付ける。具体的には、要求受付部３３１は、検索条件から生成されたパラメータを、情報の取得要求として受け付ける。
【００５５】
施設情報抽出部３３２は、情報の取得要求に応じて、施設データベース３１０を参照し、パラメータが示す検索条件を満たす施設の施設情報を抽出する。つまり、本実施形態の施設情報抽出部３３２は、施設データベース３１０を参照する参照部でもある。
【００５６】
起点決定部３３３は、パラメータに含まれる出発地に基づき、地図上において施設情報を提供する範囲の起点を決定する。
【００５７】
範囲決定部３３４は、パラメータが示す検索条件と、起点決定部３３３により決定された起点に基づき、地図上における施設情報を提供する範囲を決定する。
【００５８】
移動情報要求部３３５は、施設情報抽出部３３２により抽出された施設情報毎に、端末装置２００の現在地から施設情報が示す施設までの移動に関する情報の取得要求を地図サーバ４００に対して行い、移動に関する情報を取得する。言い換えれば、移動情報要求部３３５は、パラメータに含まれる出発地と、移動手段と、施設情報抽出部３３２によって抽出された施設情報に含まれる緯度・経度とを、移動に関する取得要求として、地図サーバ４００に送信し、移動に関する情報を取得する。
【００５９】
本実施形態の移動に関する情報とは、パラメータに含まれる出発地から、施設情報によって特定される施設へ移動するまでの移動時間と、出発地からこの施設までの距離と、この施設への到着予定日時と、を含む。移動時間と、距離と、到着予定日時とは、地図サーバ４００において、パラメータに含まれる出発地と移動手段に基づき算出される。
【００６０】
提供可否判定部３３６は、移動情報要求部３３が取得した出発地から施設までの距離と、パラメータに含まれる検索範囲と、に基づき、施設情報抽出部３３２により抽出された施設情報が示す施設が、施設情報の提供の対象となるか否かを判定する。
【００６１】
利用可否判定部３３７は、提供可否判定部３３６により施設情報の提供の対象と判定された施設が、移動情報要求部３３が取得した到着予定日時において利用可能であるか否かを判定する。
【００６２】
利用可能時間取得部３３８は、利用可否判定部３３７によって、利用可能と判定された施設について、到着予定日時から終了時刻までの時間を取得する。言い換えれば、利用可能時間取得部３３８は、利用可能と判定された施設について、到着予定日時から利用が可能な時間の長さを取得する。
【００６３】
画面データ生成部３３９は、利用可否判定部３３７による判定結果と、利用可能時間取得部３３８によって取得した、施設の利用可能時間の長さと、を含む画面を端末装置２００に表示させるための画面データを生成する。
【００６４】
出力部３４０は、画面データ生成部３３９が生成した画面データを端末装置２００に出力する。
【００６５】
尚、本実施形態では、画面データ生成部３３９が画面データを生成し、出力部３４０が画面データを端末装置２００に出力するものとしたが、これに限定されない。情報提供装置３００は、例えば、画面データの格納先を示すＵＲＬを端末装置２００に参照させても良い。
【００６６】
次に、図６を参照して、本実施形態の情報提供システム１００の動作について説明する。図６は、情報提供システムの動作を説明するシーケンス図である。
【００６７】
情報提供システム１００において、端末装置２００は、表示制御部２１２により、検索条件の入力画面を表示させる（ステップＳ６０１）。
【００６８】
続いて、端末装置２００は、入力された検索条件から、情報の取得要求であるパラメータを生成し（ステップＳ６０２）、情報提供装置３００へ送信する（ステップＳ６０３）。端末装置２００の処理の詳細は後述する。
【００６９】
情報提供装置３００の情報提供処理部３３０は、情報の取得要求（パラメータ）を受け付けると、パラメータに含まれる分類が一致する施設情報を施設データベース３１０から抽出する（ステップＳ６０４）。ステップＳ６０４の処理の詳細は後述する。
【００７０】
続いて、情報提供装置３００は、パラメータに含まれる出発地と移動手段、及び、ステップＳ６０４で抽出された施設情報が示す施設とを含む、移動に関する情報の取得要求を地図サーバ４００に対して送信する（ステップＳ６０５）。
【００７１】
情報提供装置３００は、地図サーバ４００から、移動に関する情報を受信すると（ステップＳ６０６）、端末装置２００に表示させる画面データを生成する処理を行う（ステップＳ６０７）。ステップＳ６０７の処理の詳細は後述する。
【００７２】
続いて、情報提供装置３００は、生成した画面データを端末装置２００へ送信する（ステップＳ６０８）。端末装置２００は、受信した画面データを生成する。
【００７３】
次に、図７を参照して、本実施形態の端末装置２００の処理について説明する。図７は、端末装置の処理を説明するフローチャートである。図７では、端末装置２００が、情報提供装置３００へ情報の取得要求を送信する際の情報表示処理部２１０の処理を示している。具体的には、図７は、図６のステップＳ６０１からステップＳ６０３の処理を示している。
【００７４】
本実施形態の端末装置２００の情報表示処理部２１０は、入力受付部２１１により、情報の取得要求を受け付けたか否かを判定する（ステップＳ７０１）。ステップＳ７０１において、情報の取得要求を受け付けない場合、入力受付部２１１は、入力要求を受け付けるまで待機する。
【００７５】
ステップＳ７０１において、情報の取得要求を受け付けた場合、情報表示処理部２１０は、表示制御部２１２により、検索条件を入力させる入力画面を端末装置２００に表示させる（ステップＳ７０２）。
【００７６】
続いて、情報表示処理部２１０は、入力受付部２１１により、入力された検索条件に基づく検索指示を受け付けたか否かを判定する（ステップＳ７０３）。ステップＳ７０３において、検索指示を受け付けない場合、入力受付部２１１は、検索指示を受け付けるまで待機する。
【００７７】
ステップＳ７０３において、検索指示を受け付けた場合、情報表示処理部２１０は、表示制御部２１２により、端末装置２００における入力画面の表示を終了させる（ステップＳ７０４）。
【００７８】
続いて、情報表示処理部２１０は、パラメータ生成部２１３により、入力画面において入力された検索条件に応じて、情報の取得要求となるパラメータを生成する（ステップＳ７０５）。具体的には、パラメータ生成部２１３は、入力画面に表示された各項目に対して入力された値を抽出して、パラメータとしても良い。言い換えれば、パラメータは、入力画面において入力された検索条件を示す。入力画面の詳細は後述する。
【００７９】
続いて、情報表示処理部２１０は、通信部２１４により、ステップＳ７０５で生成されたパラメータを情報の取得要求として情報提供装置３００に送信し（ステップＳ７０６）、処理を終了する。
【００８０】
次に、図８及び図９を参照して、本実施形態の情報提供装置３００の処理について説明する。図８は、情報提供装置の処理を説明する第一のフローチャートである。具体的には、図８は、図６のステップＳ６０４における情報提供装置３００の処理を示している。
【００８１】
本実施形態の情報提供処理部３３０は、要求受付部３３１により情報の取得要求（パラメータ）を受けて、施設情報抽出部３３２により、施設データベース３１０を参照し、項目「分類」の値がパラメータに含まれる分類と一致する施設情報を抽出する（ステップＳ８０１）。
【００８２】
続いて、情報提供処理部３３０は、起点決定部３３３により、パラメータに含まれる出発地の位置情報を取得し、施設情報の検索範囲の起点に決定する（ステップＳ８０２）。具体的には、起点決定部３３３は、パラメータに含まれる出発地の位置情報の取得要求を地図サーバ４００に対して行い、地図サーバ４００から出発地の緯度と経度を取得して、起点としても良い。
【００８３】
続いて、情報提供処理部３３０は、範囲決定部３３４により、パラメータに含まれる検索範囲と、起点決定部３３３により決定された起点とから、施設情報の検索範囲を決定する（ステップＳ８０３）。具体的には、範囲決定部３３４は、例えば、起点を中心として、検索範囲として設定された距離を半径とする円形の領域を検索範囲としても良い。尚、検索範囲となる領域は、円形でなくても良く、矩形の領域であっても良い。
【００８４】
続いて、情報提供処理部３３０は、ステップＳ８０１で抽出された施設情報のうち、緯度、経度が示す位置が、範囲決定部３３４によって決定された検索範囲内である施設情報を抽出する（ステップＳ８０４）。
【００８５】
以上が、施設情報を抽出する処理である。次に、図９を参照して、施設情報を提供する処理について説明する。図９は、情報提供装置の処理を説明する第二のフローチャートである。具体的には、図９は、図６のステップＳ６０５からステップＳ６０８までの詳細を示す。
【００８６】
情報提供装置３００は、施設情報の抽出が行われると、情報提供処理部３３０は、移動情報要求部３３５により、施設情報を選択し、出発地から選択された施設情報により特定される施設までの移動時間と、距離との取得要求を地図サーバ４００に対して行う（ステップＳ９０１）。
【００８７】
続いて、情報提供処理部３３０は、移動情報要求部３３５が、出発地から施設情報により特定される施設までの移動時間と、距離とを取得したか否かを判定する（ステップＳ９０２）。ステップＳ９０２において、取得していない場合、移動時間と、距離とを取得するまで待機する。
【００８８】
ステップＳ９０２において、移動時間と、距離とを取得すると、情報提供処理部３３０は、提供可否判定部３３６により、出発地から施設情報により特定される施設までの距離が、検索範囲内であるか否かを判定する（ステップＳ９０３）。ステップＳ９０３において、出発地から施設情報により特定される施設までの距離が、検索範囲内でない場合、提供可否判定部３３６は、この施設情報を提供しないものとして、施設情報を除外し（ステップＳ９０４）、ステップＳ９０１へ戻る。
【００８９】
ステップＳ９０３において、距離が検索範囲内であった場合、情報提供処理部３３０は、利用可否判定部３３７により、現在時刻と移動時間とから、端末装置２００の利用者が、選択された施設情報によって特定される施設に到着する日時を算出する（ステップＳ９０５）。
【００９０】
続いて、利用可否判定部３３７は、施設データベース３１０を参照し、施設に到着する日が、この施設の利用が可能な日であるか否かを判定する（ステップＳ９０６）。ステップＳ９０６において、利用が不可能な日であった場合、情報提供処理部３３０は、後述するステップＳ９０８へ進む。
【００９１】
ステップＳ９０６において、利用が可能な日であった場合、利用可否判定部３３７は、施設に到着する予定の時刻が、施設の利用が可能な時間帯であるか否かを判定する（ステップＳ９０７）。具体的には、利用可否判定部３３７は、施設データベース３１０を参照し、施設に到着する予定の時刻が、選択された施設情報に含まれる開始時刻から終了時刻までの間の時刻である場合に、この施設の利用が可能と判定する。
【００９２】
ステップＳ９０７において、施設の利用が不可能な時間帯と判定された場合、利用可否判定部３３７は、ステップＳ９０１で選択した施設情報が特定する施設と対応する利用不可画像を取得し（ステップＳ９０８）、テップＳ９０１へ戻る。
【００９３】
具体的には、利用可否判定部３３７は、アイコンデータベース３２０を参照し、選択された施設情報に含まれる分類と対応する利用不可画像を取得して、施設情報に含まれる施設ＩＤと対応付けておく。
【００９４】
ステップＳ９０７において、施設の利用が可能な時間帯であると判定された場合、情報提供処理部３３０は、利用可能時間取得部３３８により、施設に到着する時刻から施設情報に含まれる開始時刻から終了時刻までの時間を取得する（ステップＳ９０９）。
【００９５】
続いて、情報提供処理部３３０は、利用可否判定部３３７により、アイコンデータベース３２０を参照し、選択された施設情報に含まれる分類と対応する利用可能画像を取得し、施設ＩＤと対応づける（ステップＳ９１０）。
【００９６】
続いて、情報提供処理部３３０は、図８の処理で抽出された全ての施設情報について、ステップＳ９０１からステップＳ９１０までの処理を実行したか否かを判定する（ステップＳ９１１）。ステップＳ９１１において、全ての施設情報について処理を行っていない場合、情報提供処理部３３０は、ステップＳ９０１へ戻る。
【００９７】
ステップＳ９１１において、全ての施設情報について処理を行った場合、情報提供処理部３３０は、画面データ生成部３３９により、端末装置２００からの情報の取得要求に応じた画面データを生成し、出力部３４０により、端末装置２００へ画面データを出力し（ステップＳ９１２）、処理を終了する。本実施形態の画面データ生成部３３９により生成される画面データの詳細は後述する。
【００９８】
本実施形態では、図９の処理において、施設情報抽出部３３２により施設データベース３１０から抽出された施設情報が示す施設のうち、検索範囲に含まれる施設には、利用可能画像又は利用不可画像のどちらかが対応付けられる。
【００９９】
以下に、本実施形態の端末装置２００における表示について説明する。図１０は、検索条件の入力画面の一例を示す図である。
【０１００】
図１０に示す画面１０１は、端末装置２００に表示された検索条件の入力画面を示している。
【０１０１】
画面１０１は、分類入力欄１０２、移動手段入力欄１０３、出発地入力欄１０４、出発日時入力欄１０５、検索範囲入力欄１０６と、検索指示を行うボタン１０７と、を有する。
【０１０２】
分類入力欄１０２は、施設の分類を入力するための欄であり、施設データベース３１０の項目「分類」の値と対応する値が一覧表示されている。本実施形態では、画面１０１の分類入力欄１０２に表示された一覧から選択された値が、パラメータに含まれる分類の値となる。
【０１０３】
移動手段入力欄１０３は、移動手段を入力するための欄であり、移動手段の一覧が表示されている。本実施形態では、画面１０１の移動手段入力欄１０３に表示された一覧から選択された値が、パラメータに含まれる分類の値となる。
【０１０４】
出発地入力欄１０４は、端末装置２００の移動の出発地を入力するための欄であり、選択肢１１１、１１２が表示されている。選択肢１１１は、出発地を端末装置２００の現在の位置に設定するための選択肢である。選択肢１１２は、出発地を任意の位置に設定するための選択肢である。画面１０１では、選択肢１１２が選択されると、ボタン１１２ａ、１１２ｂに対する操作が可能とされても良い。ボタン１１２ａが操作されると、出発地となる住所を入力する入力欄が表示され、ボタン１１２ｂが操作されると、出発地を指定するための地図情報が端表示される。本実施形態では、画面１０１の出発地入力欄１０４において入力された出発地が、パラメータに含まれる出発地の値となる。
【０１０５】
出発日時入力欄１０５は、端末装置２００の移動が開始される日時を入力するための欄であり、選択肢１１３、１１４を有する。選択肢１１３は、端末装置２００が示す現在の日時を出発日時に設定するための選択肢である。選択肢１１４は、任意の日時を出発日時とするための選択肢である。画面１０１では、選択肢１１４が選択されると、日付を入力するための入力欄１１５と、時刻を入力するための入力欄１１６への入力が可能となる。また、端末装置２００は、画面１０１において、選択肢１１４が選択されると、出発日時の入力画面を表示させても良い。出発日時の入力画面の詳細は後述する。本実施形態では、画面１０１の出発日時入力欄１０５において入力された出発日時が、パラメータに含まれる出発日時の値となる。
【０１０６】
検索範囲入力欄１０６は、施設情報の検索範囲を入力するための欄であり、選択肢１１７、１１８、１１９を有する。検索範囲入力欄１０６において、選択肢１１７が選択されると、検索範囲が起点決定部３３３より決定された起点から半径１Ｋｍ以内に設定され、選択肢１１８が選択されると検索範囲が起点から半径３Ｋｍ以内に設定され、選択肢１１９が選択されると検索範囲が起点から半径５Ｋｍ以内に設定される。本実施形態では、画面１０１の検索範囲入力欄１０６において入力された検索範囲が、パラメータに含まれる検索範囲の値となる。
【０１０７】
図１１は、出発日時の入力画面の一例を示す図である。図１１（Ａ）は、入力欄１１５に日付を入力するための画面の一例を示し、図１１（Ｂ）は、入力欄１１６に時刻を入力するための画面の一例を示す。
【０１０８】
画面１０１では、図１１（Ａ）に示すように、入力欄１１５に対する操作を受け付けて、日付を選択するためのカレンダー１１５Ａが表示されても良い。また、画面１０１では、図１１（Ｂ）に示すように、入力欄１１６に対する操作を受け付けて、時刻を選択するための選択欄１１６Ａが表示されても良い。
【０１０９】
次に、図１２乃至図１７を参照して、端末装置２００における情報の取得要求を行った結果の表示例について説明する。
【０１１０】
図１２は、情報の取得要求に応じた画面の一例を示す第一の図である。図１２の画面１２１は、例えば、情報の取得要求に応じて、起点Ｐを中心とした検索範囲の施設情報を検索した結果を示している。
【０１１１】
画面１２１では、施設毎に、施設のアイコン画像と、出発地から施設への移動時間と、施設の利用可能時間と、を示す画像とが、地図上に表示される。
【０１１２】
例えば、本実施形態の画面データ生成部３３９は、画面１２１に、アイコン画像１２１Ａ、１２１Ｂ、１２１Ｃと、画像１２２Ａ、１２２Ｂ、１２２Ｃとを表示させる。
【０１１３】
画面１２１では、パラメータに含まれる分類の値が、「飲食」であり、アイコン画像１２１Ａは、例えば、アイコンデータベース３２０において、分類の値「飲食」と対応付けられたアイコン画像である。
【０１１４】
アイコン画像１２１Ａは、端末装置２００が出発地からアイコン画像１２１Ａと対応付けられた施設へ移動した場合の到着予定時刻において、この施設が利用可能であることを示す。言い換えれば、アイコン画像１２１Ａは、アイコンデータベース３２０において、分類の値「飲食」と対応付けられた利用可能画像である。
【０１１５】
また、アイコン画像１２１Ａには、画像１２２Ａが対応付けられて表示される。画像１２２Ｂは、画面データ生成部３３９によって、利用可能時間取得部３３８によって取得された利用可能時間に基づき生成され、アイコン画像１２１Ａと対応付けられても良い。
【０１１６】
画像１２２Ｂは、出発地からアイコン画像１２１Ａと対応付けられた施設までの移動時間の長さを示す画像１２３Ａと、アイコン画像１２１Ａと対応付けられた施設へ到着した後にこの施設を利用することができる時間の長さを示す画像１２４Ａとを含む。
【０１１７】
画像１２２Ａでは、画像１２３Ａと画像１２４Ａは、底辺の長さが同じ矩形状であり、画像１２３Ａの高さが画像１２４Ａの高さと比べて高い。したがって、端末装置２００の利用者がアイコン画像１２１Ａと対応付けられた施設を利用する場合、施設の利用可能時間と比べて、出発地から施設までの移動時間の方が長いことがわかる。
【０１１８】
このように、本実施形態では、出発地から算出される施設への到着予定時刻から、その施設に到着後の利用可能時間を示す情報を、施設の付帯情報として表示させることができる。
【０１１９】
したがって、本実施形態では、出発地が端末装置２００の現在地とされた場合には、端末装置２００の現在位置から算出される施設への到着予定時刻から、その施設の営業が終了する時刻までの長さを示す情報を、施設についての付帯情報として表示させることができる。
【０１２０】
尚、図１２の例では、画像１２３Ａ、１２４Ａを矩形の画像としたが、これに限定されない。例えば、画像１２３Ａ、１２４Ａは、円形であっても良い。その場合、画像１２３Ａ、１２４Ａのそれぞれの半径を、移動時間の長さと利用可能時間の長さに対応する長さとしても良い。
また、画像１２３Ａ、１２４Ａは、円形以外の形状であっても良く、例えば任意の形状の画像であっても良い。その場合、画面１２１に表示される際の画像１２３Ａの大きさ（面積）と、画像１２４Ａの大きさとが、出発地から施設までの移動時間の長さと、施設の利用可能時間の長さと、に対応するように表示される。
【０１２１】
アイコン画像１２１Ｂは、端末装置２００が出発地からアイコン画像１２１Ｂと対応付けられた施設へ移動した場合の到着予定時刻において、この施設が利用可能であることを示す。また、アイコン画像１２１Ｂには、画像１２２Ｂが対応付けられて表示されている。
【０１２２】
画像１２２Ｂは、画像１２２Ａと同様に、出発地からアイコン画像１２１Ｂと対応付けられた施設までの移動時間の長さを示す画像１２３Ｂと、アイコン画像１２１Ｂと対応付けられた施設へ到着した後にこの施設を利用することができる時間の長さを示す画像１２４Ｂとを含む。
【０１２３】
画像１２２Ｂでは、画像１２３Ｂの高さと比べて、画像１２４Ｂの高さと比べて高い。したがって、端末装置２００の利用者がアイコン画像１２１Ｂと対応付けられた施設を利用する場合、出発地から施設までの移動時間と比べて、施設の利用可能時間の方が長いことがわかる。
【０１２４】
アイコン画像１２１Ｃは、端末装置２００が出発地からアイコン画像１２１Ｃと対応付けられた施設へ移動した場合の到着予定時刻において、この施設が利用不可能であることを示す。言い換えれば、アイコン画像１２１Ｃは、アイコンデータベース３２０において、分類の値「飲食」と対応付けられた利用不可画像である。
【０１２５】
また、アイコン画像１２１Ｃには、画像１２２Ｃが対応付けられて表示される。画像１２２Ｃは、画面データ生成部３３９によって、提供可否判定部３３６による判定結果に基づき生成され、アイコン画像１２１Ｃと対応付けられても良い。
【０１２６】
画像１２２Ｃは、アイコン画像１２１Ｃと対応付けられた施設の利用可能時間が存在しないことを示している。尚、図１２では、利用不可画像であるアイコン画像１２１Ｃに、利用可能時間が存在しないことを示す画像１２２Ｃを対応付けて表示させるものとしたが、これに限定されない。
【０１２７】
画面１２１において、表示されるアイコン画像が利用不可画像である場合には、画像１２２Ｃを表示させなくても良い。
【０１２８】
以上のように、本実施形態では、施設への移動時間を考慮した上で、移動先となる施設の利用可能時間を端末装置２００の利用者に知らせることができる。したがって、本実施形態によれば、例えば、施設の分類を「飲食」とした場合には、移動先となる店舗において、その店舗に滞在することが可能な時間帯を利用者に通知することができる。
【０１２９】
図１３は、情報の取得要求に応じた画面の一例を示す第二の図である。図１３の画面１３１では、アイコン画像に、アイコン画像と対応付けられた施設の利用可能時間の長さを示す画像を対応付けて表示された例を示している。
【０１３０】
画面１３１に示すアイコン画像１２１Ａ、１２１Ｂには、それぞれに対して画像１２４Ａ、１２４Ｂが対応付けられて表示されている。画面１３１によれば、アイコン画像１２１Ａと対応付けられた施設よりも、アイコン画像１２１Ｂと対応付けられた施設の方が、長時間の利用が可能であることがわかる。
【０１３１】
このように、本実施形態では、画面１３１においても、端末装置２００の利用者が施設に到着した後の施設の利用可能時間を利用者に通知することができる。
【０１３２】
図１４は、情報の取得要求に応じた画面の一例を示す第三の図である。図１４の画面１４１では、アイコン画像に、アイコン画像と対応付けられた施設の利用可能時間の値を対応付けて表示された例を示している。
【０１３３】
画面１４１に示すアイコン画像１２１Ａ、１２１Ｂ、１２１Ｃには、それぞれの施設の利用可能時間の値Ｔａ、Ｔｂ、Ｔｃが表示されている。
【０１３４】
アイコン画像１２１Ａに対応付けられて表示さたれ値Ｔａは、アイコン画像１２１Ａと対応付けられた施設の利用可能時間が４５分間であることを示す。アイコン画像１２１Ｂに対応付けられて表示さたれ値Ｔｂは、アイコン画像１２１Ｂと対応付けられた施設の利用可能時間が３時間１２分であることを示す。アイコン画像１２１Ｃに対応付けられて表示さたれ値Ｔｃは、アイコン画像１２１Ｃと対応付けられた施設の利用可能時間が０分間であることを示す。
【０１３５】
このように、本実施形態では、画面１４１においても、端末装置２００の利用者が施設に到着した後の施設の利用可能時間を利用者に通知することができる。尚、図１４では、各アイコン画像と対応付けられた施設の利用可能時間の値のみが表示されるものとしたが、これに限定されない。本実施形態では、施設毎の利用可能時間と共に、各アイコン画像に、各アイコン画像と対応付けられた施設への移動時間を示す値を表示させても良い。
【０１３６】
図１５は、情報の取得要求に応じた画面の一例を示す第四の図である。図１５の画面１５１では、施設毎のアイコン画像を、利用可能時間に対応した形状の画像としている。この場合、例えば、情報提供装置３００は、アイコンデータベース３２０において、項目「分類」と対応する利用可能画像について、利用可能時間の長さ毎に、形状が異なるアイコン画像の画像データを保持していても良い。
【０１３７】
具体的には、例えば、アイコンデータベース３２０には、利用可能時間が１時間以上となる場合には、利用可能画像として、円形のアイコン画像の画像データが保持されていても良い。さらに、アイコンデータベース３２０では、利用可能時間が１時間未満の場合には、矩形のアイコン画像の画像データが保持されていても良い。また、アイコンデータベース３２０では、利用不可画像として、利用可能画像とは異なる形状のアイコン画像の画像データが保持されていても良い。
【０１３８】
この場合、画面１５１では、アイコン画像１５１Ａは矩形であり、アイコン画像１５１Ｂは円形である。したがって、画面１５１では、アイコン画像１５１Ａと対応付けられた施設の利用可能時間は１時間未満であり、アイコン画像１５１Ｂと対応付けられた施設の利用可能時間は１時間以上であることがわかる。
【０１３９】
また、画面１５１では、アイコン画像１５１Ｃは三角形であり、アイコン画像１５１Ａ、１５１Ｂとは異なる形状である。したがって、画面１５１では、アイコン画像１５１Ｃと対応付けられた施設は、利用不可能であることがわかる。
【０１４０】
尚、図１５の例では、施設毎の利用可能時間に対応した形状のアイコン画像のみを表示させるものとしたが、これに限定されない。本実施形態では、施設毎の利用可能時間に対応した形状のアイコン画像と対応付けて、出発地から各施設までの移動時間と対応した形状や大きさの画像や、移動時間を示す値を表示させても良い。
【０１４１】
図１６は、情報の取得要求に応じた画面の一例を示す第五の図である。図１６の画面１６１では、施設毎のアイコン画像を、利用可能時間に対応した大きさの画像としている。
【０１４２】
画面１６１では、アイコン画像１６１Ａと、アイコン画像１６１Ｂとが、利用可能画像であり、アイコン画像１６１Ａの大きさは、アイコン画像１６１Ｂと比べて小さい。したがって、画面１６１では、アイコン画像１６１Ａと対応付けられた施設の利用可能時間が、アイコン画像１６１Ｂと対応付けられた施設の利用可能時間と比べて短いことがわかる。
【０１４３】
図１７は、情報の取得要求に応じた画面の一例を示す第六の図である。図１７の画面１７１では、施設毎のアイコン画像を、利用可能時間に対応した色の画像としている。この場合、例えば、情報提供装置３００は、アイコンデータベース３２０において、項目「分類」と対応する利用可能画像について、利用可能時間の長さ毎に、色が異なるアイコン画像の画像データを保持していても良い。また、情報提供装置３００は、画面データ生成部３３９により、利用可能時間が算出されたときに、アイコンデータベース３２０に格納された利用可能画像の色を決定しても良い。
【０１４４】
画面１７１では、アイコン画像１７１Ａの色と、アイコン画像１７１Ｂの色とが異なる。尚、本実施形態では、例えば、画面１７１に、施設の利用可能時間とアイコン画像の色とを対応付けた情報を表示させても良い。
【０１４５】
つまり、図１５乃至図１７に示す例では、施設毎のアイコン画像自体が、施設に到着後の利用可能時間の長さを示す付帯情報となる。
【０１４６】
このように、本実施形態によれば、移動時間を考慮した、施設を利用できる時間を利用者に知らせることができる。
【０１４７】
尚、図１２乃至図１７に示す表示例では、地図上に各施設のアイコン画像と、各施設の利用可能時間とを示す情報とを表示させるものとしたが、これに限定されない。本実施形態では、情報の提供対象とされた施設と、出発地から各施設までの移動時間と、施設への到着予定時刻からの各施設の利用可能時間とを対応付けた一覧表等として表示させても良い。
【０１４８】
開示の技術では、以下に記載する付記のような形態が考えられる。
（付記１）
コンピュータによる情報提供方法であって、該コンピュータが、
施設に関する施設情報が記憶された記憶部を参照し、
出発地と前記出発地に基づき抽出された施設情報とから算出された、前記施設情報が示す施設への到着予定時刻からの、前記施設の利用が可能な時間の長さを示す付帯情報を端末装置に表示させる、情報提供方法。
（付記２）
前記付帯情報は、
前記施設の利用が可能な時間の長さに応じて、異なる表示態様で表示される、付記１記載の情報提供方法。
（付記３）
前記付帯情報は、
前記出発地から前記施設までの移動にかかる移動時間の長さを示す情報を含む、付記１又は２記載の情報提供方法。
（付記４）
前記付帯情報は、
前記施設の利用が可能な時間の長さと対応した大きさの画像と、前記移動時間の長さと対応した大きさの画像とを含む画像として表示される、付記３記載の情報提供方法。
（付記５）
前記抽出された施設情報が示す施設が、前記到着予定時刻において利用が可能であるか否かを判定し、
利用が可能であった場合、前記施設が利用可能であることを示す画像と、前記付帯情報とを対応付けて表示させる、付記１乃至４の何れか一項に記載の情報提供方法。
（付記６）
前記抽出された施設情報が示す施設が、前記到着予定時刻において利用が不可能であった場合、
前記施設が利用不可能であることを示す画像を表示させる、付記１乃至５の何れか一項に記載の情報提供方法。
（付記７）
抽出された施設情報が示す施設毎の、前記施設が利用可能であることを示す画像と前記付帯情報と、地図データ上に一覧表示させる、付記４記載の情報提供方法。
（付記８）
施設に関する施設情報が記憶された記憶部を参照し、
出発地と前記出発地に基づき抽出された施設情報とから算出された、前記施設情報が示す施設への到着予定時刻からの、前記施設の利用が可能な時間の長さを示す付帯情報を端末装置に表示させる、処理をコンピュータに実行させる情報提供プログラム。
（付記９）
施設に関する施設情報が記憶された記憶部を参照する参照部と、
出発地と前記出発地に基づき抽出された施設情報とから算出された、前記施設情報が示す施設への到着予定時刻からの、前記施設の利用が可能な時間の長さを示す付帯情報を端末装置に表示させる出力部とを有する電子機器。
【０１４９】
本発明は、具体的に開示された実施形態に限定されるものではなく、特許請求の範囲から逸脱することなく、種々の変形や変更が可能である。
【符号の説明】
【０１５０】
１００  情報提供システム
２００  端末装置
２１０  情報表示処理部
３００  情報提供装置
３１０  施設データベース
３２０  アイコンデータベース
３３０  情報提供処理部
３３１  要求受付部
３３２  施設情報抽出部
３３３  起点決定部
３３４  範囲決定部
３３５  移動情報要求部
３３６  提供可否判定部
３３７  利用可否判定部
３３８  利用可能時間取得部
３３９  画面データ生成部
３４０  出力部
４００  地図サーバ
【図１】
2019079343.tif 000003
【図２】
2019079343.tif 000004
【図３】
2019079343.tif 000005
【図４】
2019079343.tif 000006
【図５】
2019079343.tif 000007
【図６】
2019079343.tif 000008
【図７】
2019079343.tif 000009
【図８】
2019079343.tif 000010
【図９】
2019079343.tif 000011
【図１０】
2019079343.tif 000012
【図１１】
2019079343.tif 000013
【図１２】
2019079343.tif 000014
【図１３】
2019079343.tif 000015
【図１４】
2019079343.tif 000016
【図１５】
2019079343.tif 000017
【図１６】
2019079343.tif 000018
【図１７】
2019079343.tif 000019